(57)【特許請求の範囲】
【請求項１】
電気信号を磁気記録媒体に記録する磁気記録信号を生成する磁気記録装置において、
記録媒体にデータを記録する記録ヘッドと、
記録信号を生成する記録信号生成装置とを備え、
該記録信号生成装置は、データを記録する前に磁気記録媒体を一定方向に磁化することによりすでに記録されているデータを消去する信号を生成する消去信号手段と、
データを記録する時に消去で記録された磁区の向きと反対の向きに磁化する時に、記録手段に流す記録電流のタイミングを磁区が形成されるべき時刻より早く印加する磁気記録信号を生成する記録信号生成手段とを備え、
前記記録信号生成手段は、記録手段に印加する記録電流を実際に記録すべき時刻より早くする時刻をΔｘとした時、記録データとクロック信号をもとに記録すべき時刻で記録媒体に印加するタイミングをもつ信号Ａを生成し、該信号ＡをΔｘだけ遅延した信号Ｂを生成し、該信号Ａと該信号Ｂとにより実際に記録媒体に印加する記録電流を生成し、
記録媒体に記録する磁化の方向を一定方向に揃えた後にデータを記録することを特徴とする磁気記録装置。
【請求項２】
該記録信号生成装置は、新たなデータを記録する時、新しいデータの中で数ビット前の磁化反転の影響を補償するために記録媒体に記録電流を流すタイミングを実際に磁区が記録されるべき時刻より遅く印加する記録信号を生成することを特徴とする請求項１の磁気記録装置。
【請求項３】
記録された後の磁区の向きが、消去された磁化の方向と反対の方向の場合にのみ磁区を反転させる記録信号を生成することを特徴とする請求項１の磁気記録装置。
【請求項４】
前記記録信号生成手段は、クロック信号を入力するＤフリップフロップ回路と、前記Ｄフリップフロップ回路の出力を遅延させる遅延回路と、前記Ｄフリップフロップ回路の出力と遅延された前記Ｄフリップフロップ回路の出力の論理和を出力する回路とを有することを特徴とする請求項１の磁気記録装置。
【請求項５】
データを記録する前に磁気記録媒体を一定方向に磁化することによりすでに記録されているデータを消去する信号を生成する消去信号生成手段と、
データを記録する時に消去で記録された磁区の向きと反対の向きに磁化する時に、記録手段に流す記録電流のタイミングを磁区が形成されるべき時刻より早く印加する磁気記録信号を生成する記録信号生成手段とを備え、
前記記録信号生成手段は、記録手段に印加する記録電流を実際に記録すべき時刻より早くする時間をΔｘとした時、記録データとクロック信号をもとに記録すべき時刻で記録媒体に印加するタイミングをもつ信号Ａを生成し、該信号ＡをΔｘだけ遅延した信号Ｂを生成し、該信号Ａと該信号Ｂとにより実際に記録媒体に印加する記録電流を生成することを特徴とする磁気記録信号生成装置。
【請求項６】
該記録信号生成装置は、新たなデータを記録する時、新しいデータの中で数ビット前の磁化反転の影響を補償するために記録媒体に記録電流を流すタイミングを実際に磁区が記録すべき時刻より遅く印加する記録信号を生成することを特徴とする請求項５の磁気記録信号生成装置。
【請求項７】
記録手段に印加する記録電流を実際に記録すべき時刻より早くする時間をΔｘとし、数ビット前の磁化反転の影響を補償するために記録媒体に記録電流を流すタイミングを実際に磁区が記録すべき時刻より遅く印加する記録電流を流すタイミングを実際に記録する時刻より遅くする時間をΔｙとした時、書き込みデータを表す信号とクロック信号をもとにΔｘだけタイミングを早くしたクロックを求めるための信号Ａとクロック信号をもとにクロック信号のタイミングをΔｙ遅くしたクロックを選択する信号Ｂを生成し、
クロック信号と、該クロック信号をΔｘだけ早くしたクロックＣと該クロック信号をΔｙだけ遅くしたクロックＤと、該クロック信号を−Δｘ＋Δｙだけ遅くしたクロックＥとを入力し、
該信号Ａおよび該信号Ｂとに基づいて該クロックＣと該クロックＤと該クロックＥとを選択し、該クロックをもとに記録電流を生成することを特徴とする請求項５の磁気記録信号生成装置。
【請求項８】
前記記録信号生成手段は、クロック信号を入力するＤフリップフロップ回路と、前記Ｄフリップフロップ回路の出力を遅延させる遅延回路と、前記Ｄフリップフロップ回路の出力と遅延された前記Ｄフリップフロップ回路の出力の論理和を出力する回路とを有することを特徴とする請求項５の磁気記録信号生成装置。
【発明の詳細な説明】
【０００１】
【発明の属する技術分野】
本発明は磁気ディスク装置や磁気テープ装置等の磁気記録装置および磁気記録信号生成装置に関する。
【０００２】
磁気ディスク装置等の磁気記録は、既に記録されているデータ（前歴データ）に新データを上書きする事で、前歴データの消去と新データの記録を同時に行なっている（オーバライト記録方式）。
【０００３】
図１３は従来の記録方法の説明図である。
図１３において、
１１１はヘッドであって、磁気記録媒体にデータを記録するものである。
【０００４】
１１２は記録電流生成回路であって、ヘッド１１１に流す記録電流を生成するものである。
１１３は発振回路である。
【０００５】
１１４は記録データ生成回路である。
１２１、１２２は磁気記録媒体であって、フロッピーディスク、磁気テープ等のデータを記録するものである。
【０００６】
図１３（ａ）は前歴状態の記録状態Ａを示す。矢印の向きで記録状態を表し、磁区の向きを表す。図１３はオーバライト方式の記録方法を示し、例えばデータ１を書き込む時に磁区の向きを反転し、データ０では磁区の変化を生じないものである。
【０００７】
図１３（ｂ）は記録電流を表す。データ値に１が現れた時（ｔ１、ｔ２、ｔ３、ｔ４、ｔ５、ｔ６）に記録電流の向きが反転し、記録される磁区の向きが反転する。データ値が０のときは磁区を反転しない（ＮＲＺＩ記録）。
【０００８】
図１３（ｃ）は図１３（ｂ）の記録電流に基づく記録状態を示す。Δｘは前歴状態と異なる向きに磁区を反転させる時の信号の印加タイミングに対する磁区の反転の遅れ時間を表す。
【０００９】
記録状態Ｂは、記録状態Ａの前歴状態に対して図１３（ｂ）の記録電流でデータを記録する時の記録状態である。データ値１に対応する記録電流で磁区を反転させる時、反転された磁区の向きが前歴の磁区の向きと反対方向の時は、記録電流の印加時点より、Δｘだけ遅れた位置に磁区の反転が記録される（ｔ１、ｔ３、ｔ４、ｔ６）。しかし、記録電流で磁区を反転させる時、反転された磁区の向きが前歴の磁区の向きと同じ方向の時は、記録位置に遅れを生じない（ｔ２、ｔ５）。
【００１０】
【発明が解決しようとする課題】
記録密度が増加するにつれ、上記のように前歴データの影響で生じる磁区反転シフトの発生が問題になる。この問題については、例えば、文献“Ｏｖｅｒｗｒｉｔｅ  ｉｎ  Ｔｈｉｎ  Ｍｅｄｉａ  Ｍｅａｓｕｒｅｄ  ｂｙ  ｔｈｅ  Ｍｅｔｈｏｄ  ｏｆ  Ｐｓｅｕｄｏｒａｎｄｏｍ  Ｓｅｑｕｅｎｃｅｓ”．ＩＥＥＥＴｒａｎｓａｃｔｉｏｎ  ｏｎ  Ｍａｇｎｅｔｉｃｓ．  Ｖｏｌ．２４，Ｎｏ．６，Ｎｏｖｅｍｂｅｒ  １９８８．等で議論されている。
【００１１】
本発明は、書き込みデータの記録されるべき位置に書き込みデータが正しく記録される磁気記録装置および磁気記録信号生成装置を提供することを目的とする。
【００１２】
【課題を解決するための手段】
本発明は、電気信号を磁気記録媒体に記録する磁気記録信号を生成する磁気記録装置において、記録媒体にデータを記録する記録ヘッドと、記録信号を生成する記録信号生成装置とを備え、記録信号生成装置は、データを記録する前に磁気記録媒体を一定方向に磁化することによりすでに記録されているデータを消去する信号を生成する消去信号手段と、データを記録する時に消去で記録された磁区の向きと反対の向きに磁化する時に、記録手段に流す記録電流のタイミングを磁区が形成されるべき時刻より早く印加する磁気記録信号を生成する記録信号生成手段とを備え、記録媒体に記録する磁化の方向を一定方向に揃えた後にデータを記録するようにした。
【００１３】
図１は本発明の基本構成を示す図である。
図１において、
１は磁気記録装置であって、記録手段１３により磁気記録媒体（図示せず）にデータを記録するものである。
【００１４】
２は磁気記録信号生成装置であって、記録手段１３で磁気記録媒体にデータを記録する記録信号および磁気記録媒体の前歴の記録を消去する消去信号を生成する手段である。
【００１５】
３は消去信号生成手段であって、磁気記録媒体の前歴を消去するを消去信号を生成するものである。
５は記録信号生成手段であって、書き込みデータを入力し、記録手段１３により記録されるべき位置に正しくデータが記録されるように適切なタイミングをもつ記録信号を生成するものである。
【００１６】
７は記録タイミング調整手段であって、磁気記録媒体の記録されるべき位置からのシフトが生じないように記録信号を調整するものである。
９は制御手段であって、記録信号、消去信号の生成の制御を行なうものである。
【００１７】
図２は本発明の基本構成の動作説明図である。
図２において２１は磁気記録媒体である。
図２（ａ）は記録状態Ａであって、前歴データの記憶状態を表す。
【００１８】
図２（ｂ）はＤＣ消去電流であり、ーＩの電流を記録手段に流し、磁気記録媒体２１の前歴を消すことを示す。
図２（ｃ）はＤＣ消去した記録状態を表す。
【００１９】
図２（ｄ）はタイミング調整前の記録電流を表し、時刻ｔ１、ｔ２、ｔ３、ｔ４、ｔ５、ｔ６は、記録電流であり、磁気記録手段に流すタイミングを調整する前の状態である。
【００２０】
図２（ｅ）はタイミング調整後の磁気記録手段に流す記録電流を表し、時刻ｔ１’、ｔ３’、ｔ５’は、図３（ｃ）の時刻ｔ１、ｔ３、ｔ５よりΔｘだけ早い時間で信号が立ち上がっていることを表している。
【００２１】
図２（ｆ）は記録状態Ｄであり、図２（ｅ）の記録電流で記録した時の磁気記録媒体２１に記録された記録状態を表す。
図２を参照して図１の本発明の基本構成を説明する。
【００２２】
消去信号生成手段３は図２（ｂ）のＤＣ消去電流を生成し、記録手段１３に流して、図２（ａ）の前歴を消去し、磁気記録媒体２１を図２（ｃ）の記録状態Ｃにする。例えば、図２の場合、消去手段（ヘッド）に一定方向（正あるいは負）の電流を流し、ＤＣ消去を行なう。図２の例の場合にはＤＣ消去（以後、消磁もしくは消去と称する）が負の電流値−Ｉで消去している。記録信号生成手段５に書き込みデータを入力する。そして磁気記録信号生成手段５は、書き込みデータに基づいてタイミング調整後の記録電流を生成する。この信号は、タイミング調整前の記録電流が図２（ｄ）のようなものであるとすると、記録タイミング調整手段７は、記録状態Ｃの磁区の向きと反対の向きに磁区の反転を生成する場合には書き込みのための記録電流を印加タイミングをΔｘだけ早くする（図２（ｅ）のｔ１’、ｔ３’、ｔ５’を参照）。図２の例の場合には、記録電流が負から正に反転する場合にのみΔｘだけシフトする。記録状態Ｃの磁区の向きと同じ向きに磁区の反転を生成する場合には記録電流を印加するタンミングを変更しない。この記録電流を記録手段に印加し、図２（ｆ）に示すように、書き込まれたデータが正しい位置に書き込まれた記録状態Ｄを得ることが出来る。
【００２３】
上記のように、本発明によれば、前歴状態と反対の向きに磁化反転させる際の前歴データの影響をなくすことができ磁気記録媒体の正しい位置にデータを記録できる。
【００２４】
【発明の実施の形態】
図３は、本発明の実施の形態１である。
図３において、
２は磁気記録信号生成装置である。
【００２５】
２３はヘッドである。
３１はアンド回路である。
３２はＤフリップフロップ回路である。
【００２６】
３３は遅延回路であって、信号をΔｘだけ遅らせる回路である。
３４はオア回路である。
図３のｂ、ｃ、ｄ、ｅ、ｆ、ｇは図４のタイムチャートのそれぞれ括弧つきの同じ符号の信号に対応する。
【００２７】
図４は、図３の構成の動作のタイムチャートである。
図４（ａ）は、書き込みデータである。
図４（ｂ）は、書き込みデータ（ａ）に基づいて生成されたＮＲＺＩ信号である。
【００２８】
図４（ｃ）は、同期クロックパルス信号である。
図４（ｄ）は、図４（ｂ）のＮＲＺＩ信号と（ｃ）のクロックパルスに基づいて生成された書き込みデータ１のタイミングを示す信号である。
【００２９】
図４（ｅ）は、図４（ｃ）のパルス列の奇数番目のパルス信号の立ち上がりエッジに対応する信号である。
図４（ｆ）は、図４（ｅ）の信号をΔｘだけ遅延させた信号である。
【００３０】
図４（ｄ）は、図４（ｅ）と図４（ｆ）の信号のオア論理をとった信号である。
図４（ｈ）は消磁された磁気記録媒体を示す。
【００３１】
図４（ｉ）はヘッドに印加される信号であって、図４（ｇ）の信号と同じものである。
図４（ｊ）は、記録媒体に記録された状態を表す。
【００３２】
図４を参照して、図３の構成の動作を説明する。
図４において、アンド回路３１に図３の信号（ｂ）と（ｃ）が入力される。
その結果アンド回路３１から図４の信号（ｄ）が出力される。図４（ｄ）の信号は、そのパルスが書き込みデータの１に対応するものである。ヘッド２３にデータを記録する時は、フリップフロップのリセット端子にはイレーズ／ライト制御信号としてライトのためのセット信号を印加する。そして、フリップフロップ３２のクロック信号入力端子に図４（ｄ）の信号を入力することにより、フリップフロップ回路３２の出力として図４（ｅ）の信号が得られる。遅延回路３３に図４（ｅ）の信号を入力することにより、図４（ｅ）の信号をΔｘだけ遅延させた信号（ｆ）が得られる。図４（ｅ）の信号と図４（ｆ）の信号をオア回路３４に通すことにより、図４（ｇ）の信号が得られる。この信号を記録回路３６に入力し、ヘッド２３により磁気記録媒体にデータを記録する。
【００３３】
この信号（ｇ）（図４（ｉ）と同じ）は、磁気記録媒体に１のデータ値に対応して磁化の向きを反転させる信号であるが、消去されている磁区の向きと反対の方向に磁化させる時は、Δｘだけ早く印加される。そのため、磁気記録媒体にはΔｘ時間だけ遅れて印加されるので、磁気記録媒体には、そのデータが正しく記録されるべき位置に記録される（図４（ｈ）、（ｉ）、（ｊ）参照）。
【００３４】
図３の構成において、磁気記録媒体を消去する時は、イレーズ／ライト制御信号としてイレーズのためにリセット信号を印加する。この時、フリップフロップ３２からは磁気記録媒体を消去する正もしくは負のＤＣ信号が出力され、磁気記録媒体が消去される（図４（ｈ）参照）。
【００３５】
図３の構成において、リセットにより消去するための電流の向きを適切に設定し、図４（ｂ）、（ｃ）の信号をに入力することにより、磁気記録媒体を正しいタイミングでデータを記録できる。
【００３６】
図５は本発明の実施の形態２の説明図である。
磁気記録媒体の記録では、１ビット前（書き込みのビットが続いて生じた時）、もしくは２ビット前に磁化反転がある時、その影響でその後の磁化反転が早まる（記録される位置が前にずれる）。この影響をなくすために、そのようなビットの書き込みでは書き込むタイミングを遅らせて書き込みを行なう。
【００３７】
図５（ａ）は記録状態Ａであって、前歴の記録状態である。
図５（ｂ）は記録電流であって、消磁のための記録電流である。
図５（ｃ）は記録状態ｃであって、消磁されている状態である。
【００３８】
図５（ｄ）は記録電流であって、１の書き込みのために、消磁されている磁区の向きと反対向きに磁化させる時は、書き込みのタイミングをΔｘだけ早め、１の書き込みが前のビットと連続して生じたときはΔｙだけ書き込みのタイミングを遅らせるものである。タイミングをΔｘ遅らせる位置にΔｙだけ遅らせる必要がある場合には、ーΔｘ＋Δｙだけ記録電流をシフトさせ、書き込むタイミングを調整する。
【００３９】
図５（ｄ）と図５（ｅ）により本発明の実施の形態を説明する。
時刻ｔ１に対応する磁気記録媒体２１の位置に書き込むデータに対して、Δｘだけ記録電流の書き込みのタイミングを早め、ｔ１’で書き込み電流を印加することは図４の場合と同様である。
【００４０】
時刻ｔ２の書き込みは、消磁されている磁区の向きと同じ向きに磁区を反転させて書き込みを行なうので、この記録電流は書き込みのタイミングを調整しないでヘッドに印加する。
【００４１】
時刻ｔ３では、時刻ｔ２に続いて１を書き込むので、書き込みのタイミングをΔｙだけ遅らせる必要がある。またこの位置は、消磁されている磁区と反対方向に磁区を反転させて書き込むのでΔｘだけ記録電流を印加するタイミングを早める必要がある。そのため時刻ｔ３に対して−Δｘ＋Δｙだけタイミングを調整した時刻ｔ３’に記録電流を印加する（書き込むタイミングを−Δｘ＋Δｙだけ遅らせる）。
【００４２】
時刻ｔ４は時刻ｔ２と同様に、データを書き込むタイミングを調整しないで記録電流を印加する。
時刻ｔ５の書き込みでは、書き込むデータに対して、Δｘだけ記録電流の書き込みのタイミングを早める必要があるので、ｔ５’で書き込み電流を印加する。
【００４３】
時刻ｔ６の書き込みは、時刻ｔ５の１の書き込みに続いて１を書き込み、記録した後の磁区の向きは消磁されている磁区の向きと同じなので、Δｙだけ書き込むタイミングを遅らせる。
【００４４】
図６は、本発明の実施の形態２である。
図６において、
２は磁気記録信号生成装置である。
【００４５】
４１はアンド回路であって、書き込みデータのＮＲＺＩ信号（ｂ）と、クロック信号の逆相（ｃの逆相）を入力し、論理積をとるものである。
４２はフリップフロップであり、アンド回路４１の出力をクロック信号として入力するものである。
【００４６】
４３はフリップフロップであり、クロック信号の逆相（ｃの逆相）およびフリップフロップ４２のＤ出力を入力とするものである。
４４はフリップフロップであり、クロック信号とクロック信号の逆相を入力とするものである。
【００４７】
４５はアンド回路であり、フリップフロップ４３の出力とフリップフロップ４４の出力を入力し、論理積をとるものである。
４６はアンド回路であり、信号（ｂ）とクロックｃの逆相を入力し、論理積をとるものである。
【００４８】
４７はアンド回路である。
４８はインバータである。
４９はアンド回路である。
【００４９】
５０はノア回路である。
５１はインバータである。
５２はアンド回路である。
【００５０】
５３はアンド回路である。
６１、６２、６３、６４は遅延回路であり、それぞれＴ／２、Ｔ／２−Δｘ、Ｔ／２＋Δｙ、Ｔ／２−Δｘ＋Δｙを遅延するものである。
【００５１】
６５、６６、６７、６８はアンド回路である。
７０はフリップフロップである。
図７は本発明の実施の形態２の動作説明図の各信号のタイムチャートである。
【００５２】
図７において、
（ａ）は書き込みデータである。
（ｂ）は書き込み信号のＮＲＺＩ信号である。
【００５３】
（ｃ）はクロック信号である。
（ｄ）はクロックｃをＴ／２−Δｘだけ遅らせた信号である。
（ｅ）はクロックｃをＴ／２＋Δｙだけ早くした信号である。
【００５４】
（ｆ）はクロックｃをＴ／２−Δｘ＋Δｙだけ早くした信号である。
（ｇ）は１つおきの書き込みデータ１に対してクロック（ｃ）に同期して生成した信号である。
【００５５】
（ｈ）は信号（ｇ）と信号（ｉ）がＬの時にＨを出力するものである。そして、信号（ｈ）がＨの時に遅延回路６１を選択し、アンド回路６５からＴ／２のクロックを出力するものである。
【００５６】
（ｉ）は書き込みデータの１が連続するタイミンで生成したものである。
（ｊ）は信号（ｇ）と信号（ｉ）がＨの時にＨを出力する。そして、信号（ｊ）がＨの時に遅延回路６４の出力を選択し、アンド回路６８からＴ／２−Δｘ＋Δｙのクロックを出力するものである。
【００５７】
（ｋ）は信号（ｇ）がＬで信号（ｉ）がＨの時にＨを出力する。そして、信号（ｋ）がＨの時に遅延回路６３の出力を選択し、アンド回路６７からＴ／２＋Δｙのクロックを出力するものである。
【００５８】
（ｌ）は信号（ｇ）がＨで信号（ｊ）がＬの時にＨを出力する。そして、信号ｌがＨの時に遅延回路６６の出力を選択し、アンド回路６７からＴ／２−Δｘのクロックを出力するものである。
【００５９】
（ｍ）は図６のＯＲ回路の出力信号ｍ，（ｎ）はフリップフロップ回路７０の出力信号ｎである。
図６の構成の動作を説明する。
【００６０】
アンド回路４１、フリップフロップ回路４２、フリップフロップ４３、フリップフロップ４４とアンド回路４５により（ａ）の書き込みデータ１の奇数番目の値に対応して立ち上がりをもつ信号（ｇ）を生成する。
【００６１】
フリップフロップ４４とアンド回路４６により１データ値１に続いて現れたデータ値１に対応して立ち上がりをもつ信号（ｉ）を生成する。
ノア回路５０とアンド回路５３により、信号（ｇ）と信号（ｉ）がＬであってフリップフロップ４４の出力がＨの時にＨとなる信号（Ｔ／２遅らせたクロックを選択する信号）を生成する。
【００６２】
アンド回路４９に信号（ｇ）と信号（ｉ）を入力し、信号（ｇ）と信号（ｉ）の論理積の信号（ｊ）を生成する（−Δｘ＋Δｙを選択する信号）。
インバータ５１とアンド回路５２とにより信号（ｇ）がＬで信号（ｉ）がＨのときＨとなる信号（ｋ）を生成する。
【００６３】
アンド回路４９、インバータ４８、アンド回路４７により信号（ｊ）がＬで信号（ｇ）がＨのときにＨとなる信号（ｌ）を生成する。
そして、アンド回路６５により信号（ｈ）がＨのときにＴ／２の遅延回路の出力を選択する。アンド回路６６により信号（ｌ）がＨのときにＴ／２−Δｘの遅延回路の出力を選択する。アンド回路６７により信号（ｋ）がＨのときにＴ／２＋Δｙの遅延回路の出力を選択する。アンド回路６８により信号（ｆ）がＨのときにＴ／２−Δｘ＋Δｙの遅延回路の出力を選択する。
アンド回路６５、６６、６７、６８の出力のオア論理をとり、フリップフロップ７０のクロック入力とすることにより、信号（ｎ）を得る。
【００６４】
図８は本発明の実施の形態３である。
最近の磁気ディスク装置は記録密度だけでなく、転送速度の向上が著しい。従って、記録電流の反転時間を短くする必要がある。
【００６５】
図８は記録電流の反転を示すものである。
従来の記録方法では、前歴に新しいデータを上書きして記録するので記録電流をーＩから＋Ｉもしくは＋ＩからーＩに切り替える必要がある。しかし、本発明では、消去により消去状態（図８（ｃ）参照）が得られているので、新しいデータを記録する場合には、逆向きの磁化反転を形成する場合にのみ電流を流せば良い。例えば、図８の場合には、消去を負の電流−Ｉで行なっているので、データ記録時には電流を流さないかあるいは正の電流を流すのみで良い。そのため、本発明では、データの記録を高速に行なうことができる。
【００６６】
図８（１）は本発明の記録電流の流し方の例である。
図８（ａ）は、記録状態Ａであって、磁気記録媒体２１の前歴の記録状態を示す。
【００６７】
図８（ｂ）は、消磁のための記録電流を示し、−Ｉの記録電流を流して消磁することを示す。
図８（ｃ）は、記録状態Ｃであって、記録電流−Ｉで記録を消磁した状態を示す。
【００６８】
図８（ｄ）は、記録電流であって、実線は本発明の記録電流であり、点線は従来の記録電流である。
図８（ｅ）は、記録状態Ｅであって、図８（ｄ）の記録電流で、記録された状態を示す。
【００６９】
図８（ｄ）に示すように、消磁されている方向と逆向きに新しいデータを記録する場合のみ＋Ｉの電流を流してデータを記録する。点線は従来の方法であり、−Ｉもしくは＋Ｉの電流値でデータを記録する。この場合には、データ値１の書き込みが続いて起こるような場合には、＋Ｉから−Ｉに変化する時、＋Ｉに上がりきる前に電流値の変化、もしくは−Ｉから＋Ｉに変化する時、−Ｉに下がり切る前に電流値の変化を生じる。そのため、図示のようにΔＩの記録電流の減少を生じ、磁化が正確になされないことがあった。しかし、本発明の場合には、電流値０からの＋Ｉの上昇で良いのでこのようなことはない（図８（２）参照）。
【００７０】
図８（２）は本発明の記録電流の大きさと応答時間の関係を示す。
本発明の場合には時刻ｔ１で＋Ｉに達するが、従来の場合には時刻ｔ２で−Ｉに到達する。従って、本発明の場合には、図８（ｄ）に示すように従来生じた電流値がΔＩ減少することがない。
【００７１】
図９は本発明の実施の形態４である。
本発明の実施の形態４は消去についての実施の形態であり、消去をした後に記録を行なうことにより、従来のヘッドを使用して消去と記録を同一のヘッドで行なうものである。
【００７２】
図９（１）は消去方法と記録方法の説明図である。
２１は磁気記録媒体である。
データを記録する領域を予め消去する。例えば、フロッピーデイスクであれば、一回転で消去し、消去した領域にデータを記録する。
【００７３】
図９（２）は装置構成を示す。
制御部２９により消去の制御信号を生成し、消去信号生成部２４はＤＣの消去信号を生成する。そして、記録回路３６はＤＣ消去信号をヘッド２３に印加し、磁気記録媒体２１を消去する。
【００７４】
信号を記録する時は、制御部２９は信号記録の制御信号を生成する。記録信号生成部２５は記録信号を生成する。記録回路は記録電流をヘッド２３に印加する。磁気記録電流によりヘッド２３は消磁された領域にデータを記録する。
【００７５】
図１０は本発明の実施の形態５である。
１つの記録ヘッドでＤＣ消去と記録を行なう場合には、装置の応答速度が落ちる。本実施の形態７はそれを改良するためのものである。
【００７６】
本実施の形態７は、ＤＣ消去はデータの消去時（データファイルの消去時）に行なう。一般には、ディレクトリ（データの属性や大きさを記録してある場所のデータ）のみを消去する。そのため、本発明の場合には使用者の希望に応じて、ディレクトリとデータまでの消去を行なうか、あるいはディレクトリに消去を行なうためのフラグを立てる。そして、ディスク装置への命令がない時のような、装置が空いている時間に消去用フラグをもとに消去すべきデータを検索し、ディレクトリとデータをＤＣ消去する。そして、記録時はデータを記録するのみとする。
【００７７】
但し、この場合、記録する領域が無い場合などには消去すべきデータを検索し、そのようなデータがある場合には消去の命令を要求する等で記録時に行なうようにしても良い。
【００７８】
図１０（１）は本発明の実施の形態５の制御部のフローチャートである。
図１０（２）は磁気記録媒体のデータフォーマットである。
本実施の形態５では、消去すべきデータに対しては、磁気記録媒体のそのディレクトリに消去フラグをセットする。
【００７９】
図１０（１）に従って実施の形態５を説明する。
Ｓ１  ディスク装置の命令はあるか判定する。あれば、Ｓ２の処理を行ない、なければＳ１１の処理を行なう。
【００８０】
Ｓ２  リードか判定する。リードであればＳ３の処理を行ない、リードでなければＳ４の処理を行なう。
Ｓ３  データ再生を行なう。
【００８１】
Ｓ４  ライトか判定する。ライトであればＳ５の処理を行ない、ライトでなければＳ６の処理を行なう。
Ｓ５  新データを記録する。
【００８２】
Ｓ６  イレーズ（消去）か判定する。イレーズ（消去）であればＳ７の処理を行ない、消去でなければＳ１に戻る。
Ｓ７  すぐイレーズするか判定し、すぐイレーズするのであればＳ９の処理を行ない、すぐイレーズするのでなければＳ８の処理をする。
【００８３】
Ｓ８  ディレクトリに消去用フラグを立てる。
Ｓ９  ディレクトリをＤＣ消去する。
Ｓ１０  データをＤＣ消去する。
【００８４】
Ｓ１１  Ｓ１の判定でディスク装置への命令がなければ、消去すべきデータを検索する。
Ｓ１２  ディレクトリをＤＣ消去する。
【００８５】
Ｓ１３  データをＤＣ消去する。
図１１は本発明の実施の形態６である。
本発明の実施の形態４は、１ビット消去した後１ビット書き込むものである。
【００８６】
図１１はそのためのヘッドの実施の形態である。
現在では、一般に再生ヘッドとしてＭＲヘッドが使用されている。記録はインダクティブヘッドを使用している。本実施の形態６はそのようなヘッドに消去用ヘッドを備えたものである。
【００８７】
図１１において、
４３１はヘッドである。
４４１はイレーズヘッドであって、記録の消去に使用するものである。
【００８８】
４５１はインダクティブ・ＭＲヘッドであって、データの書き込みと再生に使用するものである。
５１１はイレーズ用上部磁極であって、消去用の上部電極である。
【００８９】
５２１はイレーズギャップであって、消去用の上部磁極と下部磁極のギャップである。
５３１はイレーズ用下部磁極であって、消去用の下部磁極である。
【００９０】
５４１はイレーズ用シールドである。
５５１は上部磁極であって、書き込み用の磁極の上部磁極である。
５６１は上部シールド兼下部磁極であって、書き込み用の磁極の下部磁極である。また、磁界のシールドを兼ねるものである。
【００９１】
５７１は絶縁層（Ａｌ2 Ｏ3 ）であって、ＭＲヘッドを絶縁するものである。
５９１は下部シールドである。
本実施の形態では、記録ヘッドと消去ヘッドとの磁界の干渉を抑制するために、その間にシールドを設けている（イレーズ用シールド５４１、上部シールド兼下部磁極５６１、下部シールド５９１）。このシールドは従来のＭＲヘッドに用いられているものと同様の材料（例えばパーマロイＮｉＦｅ）で良い。又、積層の順序としては、本実施の形態ではＭＲヘッド、記録ヘッド、消去ヘッドとしているが、順序は問わず、本発明を適用する際にＤＣ消去をした後に記録できれば良い。
【００９２】
図１２は本発明の実施の形態７である。
図１２（１）は、現在のヘッドアクセス機構の主流であるロータリー型アクチュエータの概念図である。この場合、ヘッドは媒体上をヘッドアクチュエータを中心として扇状に動く。
【００９３】
図１２（２）は、図１２（１）のヘッドの部分の拡大図である。
データは媒体上を同心円（トラック）に記録される。このトラックの円周方向（トラックの円周の接線方向）に対して、ヘッドは角度のずれ（ヨー角）を生じる。従来のヘッドでは記録は前歴を上書きしながら書き込むのであり、さらに記録と再生が同時に行なわれることがなかったので、記録時にオフセットを固定的に与えることで記録時と再生時の角度のずれの問題に対処してきた。
【００９４】
しかし、本発明で消去と記録を同時に行なう場合には、図１１（２）に示すように、この角度のずれの問題を無視することができない。特に、トラック方向の記録密度（ＴＰＩ）が増加し、トラックに対する位置づれ（オフトラック）が顕著な場合には、アクチュエータを二重に設けることにより、図１１（３）のように角度の位置ずれおよび角度のずれをなくすことができる（特開平６−１８７，６２４号公報等参照）。
【００９５】
【発明の効果】
本発明によれば、新しいデータを記録する際に前歴状態の影響により記録位置のシフトが生じないように記録電流を印加するタイミングを調整してあるので、記録が正しく行なわれ、再生データの信頼性を著しく向上させることができる。また、記録密度も向上させることができ、磁気記録装置の性能を向上させることができる。
【００９６】
以上の説明に関して，更に以下の項を開示する。
（１）電気信号を磁気記録媒体に記録する磁気記録信号を生成する磁気記録装置において、記録媒体にデータを記録する記録ヘッドと、記録信号を生成する記録信号生成装置とを備え、該記録信号生成装置は、データを記録する前に磁気記録媒体を一定方向に磁化することによりすでに記録されているデータを消去する信号を生成する消去信号手段と、データを記録する時に消去で記録された磁区の向きと反対の向きに磁化する時に、記録手段に流す記録電流のタイミングを磁区が形成されるべき時刻より早く印加する磁気記録信号を生成する記録信号生成手段とを備え、記録媒体に記録する磁化の方向を一定方向に揃えた後にデータを記録することを特徴とする磁気記録装置であって，該ヘッドは記録ヘッドと再生ヘッドにより構成され、記録ヘッドはデータ消去とデータ記録を行うものであり、記録ヘッドにより消去した後に新データを記録することを特徴とする磁気記録装置。
【００９７】
（２）電気信号を磁気記録媒体に記録する磁気記録信号を生成する磁気記録装置において、記録媒体にデータを記録する記録ヘッドと、記録信号を生成する記録信号生成装置とを備え、該記録信号生成装置は、データを記録する前に磁気記録媒体を一定方向に磁化することによりすでに記録されているデータを消去する信号を生成する消去信号手段と、データを記録する時に消去で記録された磁区の向きと反対の向きに磁化する時に、記録手段に流す記録電流のタイミングを磁区が形成されるべき時刻より早く印加する磁気記録信号を生成する記録信号生成手段とを備え、記録媒体に記録する磁化の方向を一定方向に揃えた後にデータを記録することを特徴とする磁気記録装置であって，該ヘッドは消去用の消去ヘッドと記録・再生ヘッドを備える磁気記録装置。
【００９８】
（３）電気信号を磁気記録媒体に記録する磁気記録信号を生成する磁気記録装置において、記録媒体にデータを記録する記録ヘッドと、記録信号を生成する記録信号生成装置とを備え、該記録信号生成装置は、データを記録する前に磁気記録媒体を一定方向に磁化することによりすでに記録されているデータを消去する信号を生成する消去信号手段と、データを記録する時に消去で記録された磁区の向きと反対の向きに磁化する時に、記録手段に流す記録電流のタイミングを磁区が形成されるべき時刻より早く印加する磁気記録信号を生成する記録信号生成手段とを備え、記録媒体に記録する磁化の方向を一定方向に揃えた後にデータを記録することを特徴とする磁気記録装置であって，記録・再生ヘッドおよび消去用ヘッドの向きがデータ列の記録方向に揃うように、該ヘッドの角度を調整する角度調整手段を備えることを特徴とする磁気記録装置。
【００９９】
（４）電気信号を磁気記録媒体に記録する磁気記録信号を生成する磁気記録装置において、記録媒体にデータを記録する記録ヘッドと、記録信号を生成する記録信号生成装置とを備え、該記録信号生成装置は、データを記録する前に磁気記録媒体を一定方向に磁化することによりすでに記録されているデータを消去する信号を生成する消去信号手段と、データを記録する時に消去で記録された磁区の向きと反対の向きに磁化する時に、記録手段に流す記録電流のタイミングを磁区が形成されるべき時刻より早く印加する磁気記録信号を生成する記録信号生成手段とを備え、記録媒体に記録する磁化の方向を一定方向に揃えた後にデータを記録することを特徴とする磁気記録装置であって，記録された後の磁区の向きが、消去された磁化の方向と反対の方向の場合にのみ磁区を反転させる記録信号を生成することを特徴とする磁気記録装置。
【０１００】
（５）第１項に記載の方法であって，データ消去の要求のあった時、記録データの属性を表すディレクトリおよびデータの消去を行うか、あるいはディレクトリに消去フラグを立てるだけかの選択を行ない、ディレクトリに消去フラグを立てただけで後に記録する時に記録する領域がない場合、消去の命令を要求し、消去フラグのあるデータを消去し、記録することを特徴とする磁気記録装置。
【０１０１】
（６）第１項に記載の方法であって，データ消去の要求のあった時、記録データの属性を表すディレクトリおよびデータの消去を行うか、あるいはディレクトリに消去フラグを立てるだけかの選択を行ない、磁気記録装置に対しなんの要求もない時に前記フラグから消去を行なうディレクトリおよびデータを検索して消去を行なうことを特徴とする磁気記録装置。
【図面の簡単な説明】
【図１】本発明の基本構成を示す図である。
【図２】本発明の基本構成の動作説明図である。
【図３】本発明の実施の形態１を示す図である。
【図４】本発明の実施の形態１の動作説明図である。
【図５】本発明の実施の形態２の説明図である。
【図６】本発明の実施の形態２を示す図である。
【図７】本発明の実施の形態２の動作説明図である。
【図８】本発明の実施の形態３を示す図である。
【図９】本発明の実施の形態４を示す図である。
【図１０】本発明の実施の形態５を示す図である。
【図１１】本発明の実施の形態６を示す図である。
【図１２】本発明の実施の形態７を示す図である。
【図１３】従来の記録方法の説明図である。
【符号の説明】
１：磁気記録装置
２：磁気記録信号生成装置
３：消去信号生成手段
５：記録信号生成手段
７：記録タイミング調整手段
９：制御手段
【図１】
0004105297.tif 000002
【図２】
0004105297.tif 000003
【図３】
0004105297.tif 000004
【図４】
0004105297.tif 000005
【図５】
0004105297.tif 000006
【図６】
0004105297.tif 000007
【図７】
0004105297.tif 000008
【図８】
0004105297.tif 000009
【図９】
0004105297.tif 000010
【図１０】
0004105297.tif 000011
【図１１】
0004105297.tif 000012
【図１２】
0004105297.tif 000013
【図１３】
0004105297.tif 000014